(57)【特許請求の範囲】
【請求項１】
内蔵された電池によって作動するとともに、商用電源が接続されると、該商用電源から電力が供給されて作動するカメラであって、撮影の際にＧＰＳ装置から撮影場所を示す測位情報を取り込み該測位情報を撮影画像とともに記録媒体に記録するカメラにおいて、
前記商用電源が接続されたか否かを検出し、前記商用電源が接続された場合には室内における撮影と判断して前記ＧＰＳ装置による測位が不能であることを示す信号を出力する出力手段と、
前記出力手段により前記測位が不能であることを示す信号が出力されると、前記ＧＰＳ装置による測位を禁止する測位禁止手段と、
を備えたことを特徴とするカメラ。
【請求項２】
撮影の際にＧＰＳ装置から撮影場所を示す測位情報を取り込み該測位情報を撮影画像とともに記録媒体に記録するカメラにおいて、
色温度を測定する測色センサを有し、該測色センサによって室内において発生する色温度を検出すると、前記ＧＰＳ装置による測位が不能であることを示す信号を出力する出力手段と、
前記出力手段により前記測位が不能であることを示す信号が出力されると、前記ＧＰＳ装置による測位を禁止する測位禁止手段と、
を備えたことを特徴とするカメラ。
【請求項３】
前記出力手段により前記測位が不能であることを示す信号が出力されると、測位が不能であることを警告することを特徴とする請求項１又は２のカメラ。
【請求項４】
前記出力手段により前記測位が不能であることを示す信号が出力されると、これより前に測位した測位情報を撮影画像とともに前記記録媒体に記録することを特徴とする請求項１又は２のカメラ。
【発明の詳細な説明】
【０００１】
【発明の属する技術分野】
本発明はカメラに係り、特にＧＰＳ（Ｇｌｏｂａｌ  ＰｏｓｉｔｉｏｎｉｎｇＳｙｓｔｅｍ）により測位した撮影時の位置情報を撮影画像と共に記録媒体に記録するカメラに関する。
【０００２】
【従来の技術】
ＧＰＳは多数の移動衛星からの電波を受信することによって、地球上の任意の位置で受信点の３次元位置（緯度、経度等）を測定することのできる測位システムである。
従来、ＧＰＳ装置をカメラに接続（内蔵）し、ＧＰＳ装置によって測位した位置情報を撮影画像とともに記録媒体に記録するシステムが特開平０４−７０７２４号公報、特開平０４−３４７９７７号公報に記載されている。このようなシステムによれば撮影画像を再生する際に、ＧＰＳ装置によって測定された位置情報を参照して撮影画像の撮影場所を知ることができ、また、撮影場所により所望の撮影画像を検索することができる。
【０００３】
【発明が解決しようとする課題】
しかしながら、ＧＰＳ装置は室内等の衛星からの電波を受信できない場所では測位不能であり、このような場所で撮影を行う場合には、ＧＰＳ装置から正確な位置情報を得ることができず、謝った情報を記録する場合がある。
本発明はこのような事情に鑑みてなされたもので、ＧＰＳにより測位した撮影時の位置情報を撮影画像と共に記録媒体に記録する電子カメラにおいて、室内等のＧＰＳによる測位が不能な場所で撮影する場合に正確な測位ができない旨の警告を発して使用者に注意を促す電子カメラを提供することを目的とする。
【０００４】
【課題を解決するための手段】
本発明は上記目的を達成するために、内蔵された電池によって作動するとともに、商用電源が接続されると、該商用電源から電力が供給されて作動するカメラであって、撮影の際にＧＰＳ装置から撮影場所を示す測位情報を取り込み該測位情報を撮影画像とともに記録媒体に記録するカメラにおいて、前記商用電源が接続されたか否かを検出し、前記商用電源が接続された場合には室内における撮影と判断して前記ＧＰＳ装置による測位が不能であることを示す信号を出力する出力手段と、前記出力手段により前記測位が不能であることを示す信号が出力されると、前記ＧＰＳ装置による測位を禁止する測位禁止手段と、
を備えたことを特徴としている。
【０００５】
本発明によれば、主に室内で使用される商用電源から電力が供給されていることを検出した場合には、室内における撮影であるために測位が不能であることを示す信号を出力する。この信号により、例えば、測位情報が記録媒体に記録されないことを使用者に警告することができる。
また、上記目的を達成するために、撮影の際にＧＰＳ装置から撮影場所を示す測位情報を取り込み該測位情報を撮影画像とともに記録媒体に記録するカメラにおいて、色温度を測定する測色センサを有し、該測色センサによって室内において発生する色温度を検出すると、前記ＧＰＳ装置による測位が不能であることを示す信号を出力する出力手段と、前記出力手段により前記測位が不能であることを示す信号が出力されると、前記ＧＰＳ装置による測位を禁止する測位禁止手段と、を備えたことを特徴としている。
【０００６】
本発明によれば、主に室内で使用されるタングステンランプや蛍光灯等の室内において発生する色温度を測色センサによって検出した場合には、室内における撮影であるために測位が不能であること示す信号を出力する。この信号により、例えば、測位情報が記録媒体に記録されないことを使用者に警告することができる。
【０００７】
【発明の実施の形態】
以下添付図面に従って本発明に係るカメラの好ましい実施の形態について詳説する。
図１は本発明が適用される電子カメラの構成を示したブロック図である。同図に示す電子カメラは、主として光学ユニット１０、ＣＣＤユニット３０、撮像ユニット４０、プロセスユニット６０、カメラユニット８０、表示ユニット９０、ＳＷ（スイッチ）ユニット１１０、ストロボユニット１２０、出力ユニット１３０及びＧＰＳユニット１６０とから構成される。
【０００８】
上記光学ユニット１０はフォーカスレンズや変倍レンズ等から成る撮影レンズ１２、絞り１４及び光学ＬＰＦ１６とを有し、これらの撮影レンズ１２、絞り１４及び光学ＬＰＦ１６を介して撮影被写体の画像光をＣＣＤセンサ３２の受光面上に結像する。この撮影レンズ１２のズームレンズやフォーカスレンズは、カメラユニット８０のカメラ制御ＣＰＵ８８によって制御されるズームモータドライバ８２やフォーカスモータドライバ８４によって移動し、これにより、ズーム倍率やピントの調整が行われる。また、絞り１４の絞り量は、カメラ制御ＣＰＵ８８によって制御されるアイリスモータドライバ８６によって調整される。
【０００９】
カメラ制御ＣＰＵ８８は、ＳＷユニット１１０のレリーズスイッチ１１２が半押しされた場合にプロセスユニット６０のメインＣＰＵ１００から送信されるコマンド信号を受信すると、測距センサ１３によって被写体までの距離を測距するとともに、測光センサ１２６によって被写体輝度を測光する。そして、この測距値と、ＳＷユニット１１０の図示しない操作スイッチから入力されたズーム倍率等の撮影情報とに基づいてズームモータドライバ８２、フォーカスモータドライバ８４を駆動し、撮影レンズ１２のズーム倍率及びピントの調整を行う。また、測光値に基づいてストロボ１２４の発光を制御するとともに、アイリスモータドライバ８６を駆動し絞り１４の絞り量の調整を行う。尚、ストロボ１２４は、被写体が暗い場合にストロボユニット１２０の放電コンデンサ１２２から蓄積電荷が放電されて発光する。
【００１０】
また、上記光学ユニット１０はビューファインダ１８を有し、ビューファインダ１８によって撮影被写体が確認できるようになっている。また、ビューファインダ１８には、表示ユニット９０のＬＣＤドライバ９４によって駆動されるＬＣＤ２０が装着され、メインＣＰＵ１００からの各種情報がビューファイダ１８内に表示されるようになっている。
【００１１】
上記ＣＣＤユニット３０は、上記光学ユニット１０の撮影レンズ１２によって受光面に結像された画像光を電気信号（画像信号）に変換するＣＣＤセンサ３２を有し、このＣＣＤセンサ３２は、撮像ユニット４０のクロック発生回路４６から水平クロックドライバ４８と垂直クロックドライバ５０を介して水平転送クロックと垂直転送クロックが入力され、これにより、受光面に蓄積した電荷の掃きだしが行われる。そして、このＣＣＤセンサ３２は、ＳＷユニット１１０のレリーズスイッチ１１２が全押しされると、メインＣＰＵ１００からのコマンド信号によって電荷蓄積を開始し、測光によって得られたシャッター時間が経過すると蓄積した電荷を撮像ユニット４０に出力する。
【００１２】
上記撮像ユニット４０は、デジタル撮像信号処理回路４２及びＡ／Ｄコンバータ４４を有し、上記ＣＣＤユニット３０のＣＣＤセンサ３２から出力された画像信号をデジタル撮像処理回路４２に入力する。デジタル撮像処理回路４２は、入力された画像信号にホワイトバランスとガンマ補正の処理を施し、Ａ／Ｄコンバータ４４にこの画像信号を出力する。Ａ／Ｄコンバータ４４はデジタル撮像処理回路４２から入力した画像信号をＡ／Ｄ変換し、デジタル信号に変換した後、プロセスユニット６０のＹＣ処理回路６２に入力する。
【００１３】
また、上記撮像ユニット４０は、カメラ制御ＣＰＵ８８によってオン・オフ制御されるＤＣ／ＤＣコンバータ５２を有し、このＤＣ／ＤＣコノバータ５２から撮像ユニット４０の各回路及び上記ＣＣＤセンサ３２等に電源が供給される。
上記プロセスユニット６０は、装置全体を制御するメインＣＰＵ１００や上記画像信号をＰＣカード１５０に記録する記録回路等を有し、記録回路を構成する回路の一つである上記ＹＣ処理回路６２に上記撮像ユニット４０のＡ／Ｄコンバータ４４から出力されたデジタルの画像信号を入力する。ＹＣ処理回路６２は、撮像ユニット４０のクロック発生回路４６から同期信号を入力してＣＣＤセンサ３２の蓄積電荷の掃き出しタイミングと同期して動作し、入力された画像信号をＹＣ変換によって輝度信号Ｙと色差信号Ｂ−Ｙ，Ｒ−Ｙに変換する。
【００１４】
ＹＣ処理回路６２によって生成された輝度信号と色差信号はメモリコントローラ６４によってフレームメモリ（ＤＲＡＭ）６６に一旦格納され、そのあと、フレームメモリ６６から圧縮／伸長回路６８に順次読み出される。圧縮／伸長回路６８は、これらの輝度信号と色差信号を画像圧縮処理し、ＰＣカードインターフェース７０を介してＰＣカード１５０に記録する。
【００１５】
また、プロセスユニット６０はエンコーダ回路７２を有し、液晶モニタ１７０やその他外部装置に画像信号を出力する場合に、ＹＣ処理回路６２から輝度信号と色差信号をエンコーダ回路７２に入力する。エンコーダ回路７２は入力した輝度信号と色差信号をビデオ出力用のビデオ信号（ＮＴＳＣ信号）に変換して出力ユニット１３０に出力する。ＰＣカード１５０に記録された画像信号を外部出力する場合には、画像圧縮処理された画像信号をＰＣカード１５０からＰＣカードインターフェース７０を介して圧縮／伸長回路６８に読み出し、圧縮／伸長回路６８によって画像信号を復元した後、ＹＣ処理回路６２を介してエンコーダ回路７２に出力する。尚、エンコーダ回路７２には、オンスクリーン制御回路７３が接続され、メインＣＰＵ１００からの情報がエンコーダ回路７２から出力される画像信号に重畳されるようになっている。
【００１６】
上記液晶モニタ１７０は、エンコーダ回路７２から出力ユニット１３０を介して出力されるビデオ信号を入力してモニタ上に画像を表示する。この液晶モニタ１７０は、後述する電子カメラ本体の内蔵電池１４０から電源が供給されるとともに、この液晶モニタ１７０の電源は、メインＣＰＵ１００によってオン・オフ制御される液晶モニタ電源スイッチ７５を介して供給される。
【００１７】
また、上記プロセスユニット６０は、ＤＣジャック７４を介して内蔵電池１４０が接続される。内蔵電池１４０は、ＤＣジャック７４から各ユニットの各回路に接続され、各回路に電源を供給する。また、上記電子カメラは内蔵電池１４０の代わりに商用電源を使用することも可能であり、商用電源を使用する場合には、ＡＣアダプターを介してＤＣジャック７４に接続する。このＤＣジャック７４は使用する電源を内蔵電池１４０と商用電源とに切り換えることが可能であり、商用電源を使用しない場合には内蔵電池１４０を使用電源として接続する。
【００１８】
尚、プロセスユニット６０には、電子カメラの電源をオン・オフする電源スイッチ７８と、撮影可能な状態を表示するレディＬＥＤ７９と、警告を表示する警告用ＬＥＤ７７が設けられる。
上記表示ユニット９０は電子カメラの外表面に装着されたＬＣＤ９２を有し、このＬＣＤ９２は、メインＣＰＵ１００によって制御されるＬＣＤドライバ９６によって駆動され、メインＣＰＵ１００からの各種情報（カメラの現在の露出モード、ＰＣカード１５０の残量等）を表示する。また、表示ユニット９０はメインＣＰＵ１００によって制御されるブザー９８を有しており、このブザー９８によって警告音等の音を発生させる。
【００１９】
上記ＧＰＳユニット１６０は、出力ユニット１３０を介してメインＣＰＵ１００に信号線により接続される。ＧＰＳは軌道上に複数個の衛星を周回させ、各衛星より周期的な連続信号と自己の軌道データを送出させるシステムであり、このＧＰＳユニット１６０は同時に４つの衛星からの情報を受信して距離を測定し、４個の方程式を解くことにより受信場所の位置（緯度、経度等）情報を得るものである。
【００２０】
ＧＰＳユニット１６０は信号線によりメインＣＰＵ１００と各種信号の送受信を行い、メインＣＰＵ１００からのコマンド信号に従って測位を開始し、所定時間毎に順次測位を実行し、得られた位置情報を測位データとしてメインＣＰＵ１００に送信する。尚、ＧＰＳの衛星は原子時計をもっており、ＧＰＳユニット１６０は測位によって位置情報の他に現在の時刻を示す時刻情報を同時に得ることができ、測位データとしてこの時刻情報も同時に送信することができる。以下、測位データとして位置情報と時刻情報を送信する場合を考慮してＧＰＳユニット１６０によって得られる情報を測位情報という。
【００２１】
また、上記ＧＰＳユニット１６０は、電子カメラ本体の上記内蔵電池１４０（又はＡＣアダプター）から電源が供給されるとともに、ＧＰＳユニット１６０の電源は、メインＣＰＵ１００により制御されるプロセスユニット６０のＧＰＳ電源スイッチ７６によりオン・オフ制御されるようになっている。これによりＧＰＳユニット１６０には必要に応じて内蔵電池１４０から電源が供給されるようになっている。
【００２２】
詳細は後述するが撮像画像をＰＣカード１５０に記録する際に、メインＣＰＵ１００はＧＰＳユニット１６０に測位を実行させ、撮影場所等を示す測位情報（測位データ）をこのＧＰＳユニット１６０から取り込み、この測位情報を画像信号とともにＰＣカード１５０に記録する。これにより、ＰＣカード１５０に記録された画像信号を再生する際に、このＰＣカード１５０に記録された測位情報を参照することにより撮影場所等の情報を知ることができるようになる。
【００２３】
ところで、図１に示すようにＡＣアダプタが接続される端子の電圧がメインＣＰＵ１００によって検出されるようになっている。メインＣＰＵ１００は、これによりＡＣアダプタがこの入力端子に接続されてＡＣアダプタから電源が供給されているか否かを判定し、もし、ＡＣアダプタから電源が供給されていると判定した場合には、室内における撮影と判定する。即ち、ＡＣアダプタから電源が供給されている場合には、室内における商用電源が使用されるため、この場合には室内における撮影と判定する。
【００２４】
例えば、上記電子カメラを室内等のＧＰＳの測位不能な位置に持ち込んで撮影を行う場合、この場所でＧＰＳユニット１６０に測位を実行させると、測位不能のためＧＰＳユニット１６０から測位情報が送られてこない場合や、誤った測位情報が送られてくる場合がある。このため、メインＣＰＵ１００は、ＡＣアダプタが使用されることにより室内における撮影と判定し、室内における撮影と判定した場合には、ブザー９８、警告用ＬＥＤ７７、ＬＣＤ９２等によりユーザーに警告を発してＧＰＳユニット１６０による測位が不能である旨を警告するようにしている。
【００２５】
また、メインＣＰＵ１００は、ＧＰＳユニット１６０が測位を実行している際に、電子カメラの回路から発生するノイズによってＧＰＳユニット１６０が誤動作しないように、また、内蔵電池１４０の節約のために、電子カメラの撮像回路と記録回路（撮像回路と記録回路は、カメラユニット８０、表示ユニット９０、メインＣＰＵ１００以外の画像信号を処理する回路であり、撮像回路は主として、ＣＣＤユニット３０と撮像ユニット４０の各回路を示し、記録回路は主として、プロセスユニット６０のＹＣ処理回路６２、メモリコントローラ６４、圧縮／伸長回路６８、ＰＣカードインターフェース７０、エンコーダ回路７２を示す。）への電源の供給を停止するようにしている。
【００２６】
図２は、ＡＣアダプタの使用により室内における撮影と判定する場合のメインＣＰＵ１００の処理手順を示したフローチャートである。先ず電子カメラの電源スイッチ７８がオンされると、メインＣＰＵ１００はＡＣアダプタからの電源電圧を検出し、ＡＣアダプタが使用されているか否かを判定する（ステップＳ１０）。このとき、ＡＣアダプタが使用されてなく、内蔵電池１４０が使用されている場合には、ＧＰＳ電源スイッチ７６をオンにしてＧＰＳユニット１６０に電源を供給し、ＧＰＳユニット１６０に測位を実行させる（ステップＳ１２）。尚、このとき、メインＣＰＵ１００はＧＰＳユニット１６０の誤動作防止と消費電力の節約のために撮像・記録回路に電源を供給しないようにしている。そして、メインＣＰＵ１００は、ＧＰＳユニット１６０と通信して測位が完了したか否かを判定し（ステップＳ１４）、測位が完了した場合には、ＧＰＳユニット１６０から測位データを取り込む（ステップＳ１６）。そして、レリーズスイッチ１１２の半押し状態を監視する（ステップＳ１８）。尚、図には示さないが測位が完了しない状態でレリーズスイッチ１１２が半押しされた場合にはブザー９８、警告用ＬＥＤ７７、ＬＣＤ９２等により警告を発生させる。
【００２７】
一方、ステップＳ１０においてＡＣアダプタが使用されいると判定した場合には、室内における撮影と判定してブザー９８、警告用ＬＥＤ７７、ＬＣＤ９２等によりＧＰＳユニット１６０による測位が不能であることをユーザーに警告し（ステップＳ１７）、ＧＰＳユニット１６０による測位を実行せずに、レリーズスイッチ１１２の半押し状態を監視する（ステップＳ１８）。
【００２８】
メインＣＰＵ１００は、上記のようにレリーズスイッチ１１２の半押し状態を監視し（ステップＳ１８）、レリーズスイッチ１１２の半押しを検出した場合には、ＡＣアダプタを使用しているか否かを判定する（ステップＳ２０）。そして、ＡＣアダプタを使用している場合には、ＧＰＳユニット１６０の測位が完了しているか否かを判定し（ステップＳ２２）、完了していない場合には、ブザー９８、警告用ＬＥＤ７７、ＬＣＤ９２等により警告を発生させ、その撮影場所は、ＧＰＳによる測位が不能な場所であることを警告する（例えば、ビル影における撮影や、ＡＣアダプタを使用しないで室内における撮影を行うような場合に測位が不能であると、測位不能の警告を発生させる）（ステップＳ２４）。
【００２９】
一方、ステップＳ２０においてＡＣアダプタを使用していないと判定した場合や、ステップＳ２２において測位が完了していると判定した場合には、測光動作を実行させて測光値を得るとともに（ステップＳ２６）、測距動作を実行させて測距値を得る（ステップＳ２８）。そして、得られた測距値に基づいて撮影レンズ１２のレンズを駆動させてピント等の調整を行う（ステップＳ３０）。
【００３０】
そして次に、メインＣＰＵ１００はレリーズスイッチ１１２の全押しの状態を監視し、レリーズスイッチ１１２が全押しされたか否かを判定する（ステップＳ３２）。レリーズスイッチ１１２が全押しされた場合には、撮像・記録回路に電源を供給して撮像・記録回路を動作させ（ステップＳ３４）、ＣＣＤセンサ３２により撮影画像の画像信号を得て上述したように画像信号を圧縮してこの画像信号をＰＣカード１５０に記録する。また、ＡＣアダプタを使用していない場合には、ＧＰＳユニット１６０から取り込んだ測位データを画像信号とともにＰＣカード１５０に記録する（ステップＳ３６）。
【００３１】
以上、撮影画像のＰＣカード１５０への記録が終了すると、メインＣＰＵ１００は撮像・記録回路への電源の供給を停止させるとともに（ステップＳ３８）、ＧＰＳユニット１６０への電源の供給を停止させ（ステップＳ４０）、撮影を完了する。
尚、続けて撮影を行うような場合には、ステップＳ４０においてＧＰＳユニット１６０への電源の供給を停止させずに、ステップＳ１０からの処理を繰り返し実行する。
【００３２】
以上上記メインＣＰＵ１００の処理手順では、ＡＣアダプタが使用された場合に室内における撮影と判定し、この場合には、ＧＰＳユニット１６０による測位を行わない旨を警告して測位を行わないようにしていたが、図１に示すように電子カメラに測色センサ１８０を設けて、この測色センサ１８０により室内における撮影か否かを判定するようにしてもよい。
【００３３】
図１に示す測色センサ１８０は、色温度を測定するものであり、レリーズスイッチ１１２が半押しされた場合に、色温度を測定し、測定結果をメインＣＰＵ１００に出力する。メインＣＰＵ１００は測色センサ１８０から入力した測定結果から、タングステンランプによる色温度、又は、蛍光灯による色温度を検出した場合には、室内における撮影と判定する。即ち、タングステンランプや蛍光灯は室内で使用されるため、これらの色温度を検出した場合には室内における撮影と判定する。
【００３４】
図３は、上記測色センサ１８０により検出される色温度により室内における撮影と判定する場合のメインＣＰＵ１００の処理手順を示したフローチャートである。先ず電子カメラの電源スイッチ７８がオンされると、メインＣＰＵ１００はＧＰＳ電源スイッチをオンにしてＧＰＳユニット１６０に電源を供給し、ＧＰＳユニット１６０に測位を実行させる（ステップＳ５０）。尚、このとき、メインＣＰＵ１００はＧＰＳユニット１６０の誤動作防止と消費電力の節約のために撮像・記録回路に電源を供給しないようにしている。
【００３５】
次にメインＣＰＵ１００は、ＧＰＳユニット１６０と通信して測位が完了したか否かを判定し（ステップＳ５２）、測位が完了している場合には、メインＣＰＵ１００は、レリーズスイッチ１１２の半押し状態を監視する（ステップＳ５４）。
そして、レリーズスイッチ１１２の半押しを検出すると、測色センサ１８０によって色温度の検出する（ステップＳ５６）。また、測光動作を実行させて測光値を得るとともに（ステップＳ５８）、測距動作を実行させて測距値を得る（ステップＳ６０）。
【００３６】
そして、メインＣＰＵ１００は、上記ステップＳ５６において検出した色温度に基づいて室内における撮影か否かを判定する（ステップＳ６２）。即ち、測色センサ１８０によって検出した色温度がタングステンランプによる色温度か又は蛍光灯による色温度かを判定する。もし、これらのタングステンランプ及び蛍光灯による色温度が検出されず、室内における撮影でないと判定した場合には、ＧＰＳユニット１６０の測位が完了しているか否かを判定し（ステップＳ６４）、測位が完了した場合にはＧＰＳユニット１６０から測位データを取り込む（ステップＳ６６）。一方、ステップＳ６２においてタングステンランプ及び蛍光灯による色温度を検出し、室内における撮影と判定した場合には、ブザー９８、警告用ＬＥＤ７７、ＬＣＤ９２等によりＧＰＳユニット１６０による測位が不能であることをユーザーに警告し（ステップＳ６７）、ＧＰＳユニット１６０からの測位データの取り込みを行わずに次のステップ６８に移る。
【００３７】
ステップ６８においてメインＣＰＵ１００は、上記ステップＳ６０において得られた測距値に基づいて撮影レンズ１２のレンズを駆動させてピント等の調整を実行する（ステップＳ６８）。
次に、メインＣＰＵ１００は、レリーズスイッチ１１２の全押しの状態を監視し（ステップＳ７０）、レリーズスイッチ１１２が全押しされた場合には、撮像・記録回路に電源を供給して撮像・記録回路を動作させる（ステップＳ７２）。そして、ＣＣＤセンサ３２により撮影被写体の画像信号を得て上述したように画像信号を圧縮してこの画像信号をＰＣカード１５０に記録する。また、ステップＳ６２において室内における撮影ではないと判定した場合には、ＧＰＳユニット１６０から取り込んだ測位データを画像信号とともにＰＣカード１５０に記録する（ステップＳ７４）。
【００３８】
画像信号の記録が終了すると、メインＣＰＵ１００は撮像・記録回路への電源の供給を停止させるとともに（ステップＳ７６）、ＧＰＳユニット１６０への電源の供給を停止させ（ステップＳ７８）、撮影を完了する。
尚、続けて撮影を行うような場合には、ステップＳ７８においてＧＰＳユニット１６０への電源の供給を停止させずにステップＳ５４のレリーズスイッチ１１２の半押し状態の監視の処理から繰り返し実行する。
【００３９】
以上、上記実施の形態では、室内における撮影か否かをＡＣアダプタの電源電圧又は測色センサによって別々に判定する場合について説明したが、ＡＣアダプタの電源電圧及び測色センサの両方により判定するようにしてもよい。例えば、何れか一方により、室内における撮影と判定した場合にはＧＰＳユニット１６０による測定を行わないようにし、ＧＰＳユニット１６０による測位が実行できない旨をユーザーに警告するようにする。
【００４０】
また、上記実施の形態では、室内における撮影と判定した場合には、ＰＣカード１５０に測位データを記録しないようにしたが、例えば、前回撮影時等に取り込んだ測位データを不揮発性メモリに記録しておくことにより、室内における撮影と判定した場合には、この不揮発性メモリに記録されている前回撮影時等の測位データをＰＣカード１５０に記録するようにしてもよい。
【００４１】
また、上記実施の形態では、電子カメラの場合について説明したが、これに限らず、例えば、フイルムの磁気記録層に各種情報を記録することができる新写真フイルムを使用するカメラにおいて、フイルムにＧＰＳの測位情報を記録する場合にも本発明は適用できる。
【００４２】
【発明の効果】
以上説明したように本発明によれば、主に室内で使用される商用電源から電力が供給されていることを検出した場合、又は、主に室内で使用されるタングステンランプや蛍光灯等の室内において発生する色温度を測色センサによって検出した場合には、室内における撮影であるためにＧＰＳ装置による測位が不能であることを示す信号を出力するようにしたため、この信号により、測位情報が記録媒体に記録されないことを使用者に警告することができる。また、この信号が出力された場合に、ＧＰＳ装置の測位を禁止することにより不要動作を防止することができ、また、この場合に前に測位した測位情報を現撮影の測位情報として代わりに記録媒体に記録することにより、ＧＰＳ装置による測位が不能な室内における撮影の場合でも撮影場所に近い位置の測位情報を記録媒体に記録することができる。
【図面の簡単な説明】
【図１】図１は、本発明に係る電子カメラの実施の形態を示した構成図である。
【図２】図２は、ＡＣアダプタの使用により室内における撮影と判定する場合のメインＣＰＵの処理手順を示したフローチャートである。
【図３】図３は、測色センサにより検出される色温度により室内における撮影と判定する場合のメインＣＰＵの処理手順を示したフローチャートである。
【符号の説明】
１０…光学ユニット
１２…撮影レンズ
３０…ＣＣＤユニット
３２…ＣＣＤセンサ
４２…デジタル撮像処理回路
４４…Ａ／Ｄコンバータ
４６…クロック発生回路
５２…ＤＣ／ＤＣコンバータ
６０…プロセスユニット
６２…ＹＣ処理回路
６４…メモリコントローラ
６６…フレームメモリ
６８…圧縮／伸長回路
７０…ＰＣカードインターフェース
７２…エンコーダ回路
８０…カメラユニット
８８…カメラ制御ＣＰＵ
９０…表示ユニット
１１０…スイッチユニット
１１２…レリーズスイッチ
１２０…ストロボユニット
１４０…内蔵電池
１５０…ＰＣカード
１６０…ＧＰＳユニット
１７０…液晶モニタ
１８０…測色センサ
【図１】
0004241945.tif 000002
【図２】
0004241945.tif 000003
【図３】
0004241945.tif 000004